Podtech/llm-jp-corpus-v4-ja_patent huggingface dataset:
(57)【要約】【課題】      赤ちゃんのオムツ替え時に周囲を汚さないための、赤ちゃん用使い捨てオムツ替えシートを提供する。【解決手段】  オムツ替え時、背中部に対応し、しかも赤ちゃんがシートを引っ張らないように角をカットしたことを特徴とする吸水性のある赤ちゃん用使い捨てオムツ替えシート。【選択図】図１
2008073484.tif 000002
【特許請求の範囲】
【請求項１】
オムツ替え時、背中部に対応し、しかも赤ちゃんがシートを引っ張らないように角をカットしたことを特徴とする吸水性のある赤ちゃん用使い捨てオムツ替えシート。
【請求項２】
シート表面に子供が好む絵や模様を設けた請求項１のイラスト入り赤ちゃん用使い捨てオムツ替えシート。
【発明の詳細な説明】
【技術分野】
【０００１】  本発明は、赤ちゃんのオムツ替え時に周囲を汚さないための、赤ちゃん用使い捨てオムツ替えシートに関するものである。
【背景技術】
【０００２】  従来、赤ちゃんのオムツ替えの際には、タオルや市販の布製のオムツ替えシートを使用している。
また、四角四面のペットシートに似た赤ちゃん用使い捨てオムツ替えシートは販売されているので、それを使用する人もいる。
【発明の開示】
【発明が解決しようとする課題】
【０００３】  そのために次のような問題点があった。
（イ）タオルや布製オムツ替えシートの場合、外出時荷物がかさばる。
（ロ）タオルや布製オムツ替えシートを使用した場合、汚れると手洗い更には洗濯機洗いと、手間がかかる。
（ハ）排泄物で汚れた物を洗濯機で洗うことにより、同じ洗濯機を使用する他の物までを不衛生に感じてしまう嫌悪感がある。
（ニ）四角四面のペットシートに似た赤ちゃん用使い捨てオムツ替えシートでは、背中にまで達した便には対応できない。
（ホ）四角四面であるがゆえに、赤ちゃんが角を引っ張ってシート自体を動かしてしまい作業しづらくなる。
（ヘ）無地だとペットシートとの見分けが困難で周囲への印象が悪い。またオムツ替えを嫌がる子供の気を引くことができない。
本発明は、以上の問題点を解決するための赤ちゃん用使い捨てオムツ替えシートである。
【課題を解決するための手段】
【０００４】  オムツ替え時、背中部に対応し、しかも赤ちゃんがシートを引っ張らないよう角をカットし、表面に子供が好む絵や模様を設けたことを特徴とする吸水性のある赤ちゃん用使い捨てオムツ替えシートである。
【発明の効果】
【０００５】  背中に沿ったラインにより、もし便が背中まで達していても対応でき、角がないため赤ちゃんがシート引っ張ってずらす可能性も低い。折りたたんだ状態でも薄く超軽量で持ち運びが楽で、使い捨てなので洗濯の手間がない。
また、表面に子供が好むイラストを設けることで、オムツ替えを嫌がる子供の気を引き早くオムツ替えを終わらせることができる。
【発明を実施するための最良の形態】
【０００６】  以下、本発明の実施の形態を説明する。
（イ）縦約４５ｃｍ、横約６０ｃｍの裏面が防水加工された薄型吸水シート（１）の上縁両側（１ａ、１ｂ）を赤ちゃんの背中のラインに沿って斜方向に角をカットする。
（ロ）シート（１）の表面に１又は複数のイラストを設け（２）、従来市販されているペットシートとの差別化を図る。また、これによりオムツ替えを嫌がる子供の気を引くことができる。
（ハ）シート（１）の裏面には縦３等分、横３等分に折り目（３）をつけ、広げた時の９分の１サイズでの持ち運びを可能にする。
（ニ）シート（１）の裏面に使用後簡単にまとめて捨てるために、３枚のテープ（５）（６）（７）を貼り合わせ２連結させ、剥離可能にしたゴミ捨てテープ（４）をシート下部に設ける。
（ホ）ゴミ捨てテープは剥離可能な素材を用い、まず１枚目のテープ（５）をシート裏面下部に貼り付け、その次に２枚目のテープ（６）を粘着面を上に向け１枚目のテープ（５）に貼り合わせる。そして３枚目のテープ（７）は、ゴミ捨てテープ使用時に引っ張りやすいように折り返して持ち手を作り、粘着面を下に向け２枚目のテープ（６）に貼り合わせる。その３枚のテープを重ね折り合わせ、ゴミ捨てテープとしてシート裏面下部に設ける。
本発明は、以上の構成からなるものであるが、具体的な使用例について説明する。
赤ちゃんのオムツ替えが必要な時、バッグからこの使い捨てオムツ替えシートを取り出し広げて、その上に赤ちゃんを寝かせる。その時に、赤ちゃんの肩のラインにシート（１）の斜方向にカットしたラインを合わせるようにして寝かせる。すると、シート（１）の両縁がくびれているので赤ちゃんがシート（１）の端をつかむことができないので、赤ちゃんがシート（１）を引っ張ってずらす可能性を低減できる。
オムツ替え終了後シート（１）が汚れてしまった場合は、折り目（３）に沿ってたたんで、ゴミ捨てテープ（４）のつまみを引っ張り、全体を一まとめにしてテープを貼り付けゴミ箱に捨てる。なお、シート（１）の広さに余裕があるのでオムツを一緒に包み込んで一まとめにして捨てることも可能である。
【図面の簡単な説明】
【０００７】
【図１】本発明の表面図
【図２】本発明の裏面図
【図３】本発明の使用時の説明図
【図４】本発明のゴミ捨てテープの構造図
【図５】本発明の折りたたみ時の説明図であり、（ａ）はシートの裏側から縦右方向に３分の１折り返した説明図。（ｂ）はシートの裏側から縦左方向に３分の１折り返した説明図。（ｃ）はシートの裏側から横下方向に３分の１折り返した説明図。（ｄ）はシートの裏側から横上方向に３分の１折り返した説明図。
【符号の説明】
【０００８】      １    薄型吸水シート
２    イラスト
３    折り目
４    ゴミ捨てテープ
５    テープ１枚目
６    テープ２枚目
７    テープ３枚目
【図１】
2008073484.tif 000003
【図２】
2008073484.tif 000004
【図３】
2008073484.tif 000005
【図４】
2008073484.tif 000006
【図５】
2008073484.tif 000007
(57)【要約】【課題】  本発明は、曲面状織物額に対し、光源を定めて、照明又は外光による照明を与えた状態の場合に、見る人の視角が移動すると受光面の光と影の連続変化により、あらかじめ立体的表現模様の曲面額装着紋織物は、あたかも織物絵模様の表情変化が連動してみえるような効果を与える。【解決手段】  曲面状織物額板台紙の開発は上下左右の額材に溝を刻むことで解決できる。次に織物を曲面板台紙に装着する技法は曲面状態で処理することで解決できる。額構成の組み立ては、曲面台紙の装着する上下の曲線溝額縁と左右の直線溝額縁との組み合わせる。また、立体感のある紋織物製織は、特許「絵画織」の技法である点描グラデーションの活用或いはそれに準ずる製織技術が重要である。【選択図】図１
2008073495.tif 000002
【特許請求の範囲】
曲面状にした板台紙に、織物等を装着させた、曲面状の額、またはそれと同等な機能のある額等を特許請求の範囲とする。
【発明の詳細な説明】
【発明の詳細な説明】
【発明が属する技術分野】
【０００１】  本発明は、視覚が曲面に当たる光や影の動きをとらえ、織物の美感および質感の表現を高め、表情を豊かな効果だす額を云う。
【背景技術】
【０００２】  従来の額は、平面状板台紙に絵画等を装着したものであり、光や影による効果を求めていない
【発明が解決しようとする課題】
【０００３】  本来、織物は衣服で見られるように曲がりくねった動きのある効果を発揮している。本発明は額という静止している装飾物であるものに、曲面効果のある織物を装着することにより、曲面状の装着で、紋織物の立体効果を倍増させるものである。
【課題を解決するための手段】
【０００４】  本発明の紋織物は、明暗グラデーション、濃淡グラデーション等の点描技法又は力強い面描技法等を用いた立体感のある製織法を使う。
また、照明により得られる、光や影の対物連続変化を捉えて、織物の質感効果をだすために、必要な曲面度をもつ曲面状板台紙の形状を開発した
【発明を実施するための最良の形態】
【０００５】  いまの生活環境は、「きもの」愛用者は激減しているが、「きもの」愛好家は多く存在する。「きもの」を着用しないで楽しむには、「きもの」の部分又は「帯」を観賞することで満足できると考えた。
例えば、本発明は「帯」や「キモノ」の部分又は全体の柄等を額装することで期待に応えた。
【実施例】
【０００６】  図１は、曲面状織物額の全体図です。
【図面の簡単な説明】
【図１】  曲面状織物額の全体図（実施例１）
【図２】  曲面状織物額板台紙の断面図である。（実施例２）
【符号の説明】
１    額縁
２    曲面状織物額板台紙
３    装着された織物
【図１】
2008073495.tif 000003
【図２】
2008073495.tif 000004
(57)【要約】【課題】    雨傘、日傘の傘差し保持具でも自転車に取り付ける専用のものがあるが、自転車走行時且つ自転車の無い歩行時にも使用できる傘差し保持具で、片腕を支えとしながら、大変シンプルな構造であり、取り付け、取り外しが簡単で、傘本体との携帯が可能なこと。通常の自身の傘差しポジションに近づけることを、目指したものであること。【解決手段】  直線、または曲線、角度を形状した棒などの両端に、腕を挟む弾性体クリップと傘の柄を挟む弾性体クリップ後方部分を連結固定する。弾性体クリップに傘の柄と腕をそれぞれに挟む。そして連結している棒によって、傘の柄を挟んだ弾性体クリップを胴体の正面に位置させ、傘を開く。片腕を支えとすることから、本来自身で傘を差した状態に近い状態となる。【選択図】図２
2008073493.tif 000002
【特許請求の範囲】
【請求項１】
傘の柄を挟める弾性体クリップと腕を挟める弾性体クリップの後方部分を硬質な棒で連結固定させた物である。歩行時及び自転車走行時の傘を開いた使用時状態に、傘差し保持及び補助する。片腕を支えに、腕と傘の柄をそれぞれの弾性体クリップで挟んで固定する挟持手段を特徴とする傘差し保持具。
【請求項２】
前記の連結固定させる棒とは、直線または曲線、角度を形状しているものを特徴とする請求項１記載の傘差し保持具。
【請求項３】
前記弾性体クリップはクリップ内側の挟み込む部分はソフトなゴム素材とすることを特徴とする請求項１記載の傘差し保持具。
【発明の詳細な説明】
【技術分野】
【０００１】  本発明は雨傘、日傘を差す際に手で握り持つことなく、保持及び補助することを、特徴とする道具に関する。
【背景技術】
【０００２】  雨傘、日傘を差す際、自転車走行時や荷物がある場合など両腕がふさがり大変不便と言われ、従来には、いくつかの傘保持具が開発されているが、自転車に取り付ける自転車専用のものや、衣類の上からバンド等を胴体に装着し、胴体で支えるという保持具であった。
【特許文献１】特開２００５−３２４７５１広報
【特許文献２】特開２００６−０７５５５７広報
【非特許文献１】
【非特許文献２】
【発明の開示】
【発明が解決しようとする課題】
【０００３】  しかしながら、以上の技術によれば自転車専用のものは自転車の無い歩行時には使用することができず、バンド等よる傘保持具は衣類の上から装着するなど、ファッション観点からの疑問もありえる。この発明は、本来傘を支えるべく腕を支えとする傘保持器であり、シンプルな構造、ネジ固定などは不要で、傘の不使用と同時にすぐにとりはずせる、傘差し保持及び補助の役割を果たす道具を提供することを課題とする。
【課題を解決するための手段】
【０００４】以上の課題を解決するために、第一発明、歩行時及び自転車走行時も使用可能であり、片腕を支えとし、腕と傘の柄の２箇所を、共に弾性体クリップで挟むというシンプルな取り付け方法であるということを特徴とした傘差し保持具である。【０００５】また、第二発明は弾性体クリップを連結させる棒は、金属、合成樹脂などの硬質素材で、直線、曲線や角度を形状しているもの、或いはフレキシブルチューブなど曲線や角度を形状保存できる素材を利用し、腕の代わりとなって、傘を支えることを特徴とする傘差し保持具である。【０００６】また、第３発明はクリップの内側の挟む部分にソフトなゴム素材にしておくことにより、滑り止め効果となり、腕と傘の柄を挟持固定することを特徴とする傘差し保持具である。
【発明の効果】
【０００７】第一発明によれば、片腕を支えとしながら大変シンプルな構造で、傘差し保持具は取り付け、取り外し方法がとにかく簡単である。歩行時、自転車走行時共に使用できる。第二発明によれば連結棒の形状により、片腕からの支えの位置から、弾性体クリップで挟んだ傘の柄を胴体の正面に位置させると、通常の自身の手で傘を差すポジションに近づけることが可能である。【０００８】第三発明によれば、弾性体クリップ内側を、ソフトなゴム素材にすることによって、個々の傘の柄の太さ、腕の太さに対しても、許容範囲が確保できる上、腕を挟むにあたっては圧迫感が緩和されることを期待できる。また、この弾性体クリップを不使用時には傘本体にそって留めておくことができ、常に傘と共に携帯できる。
【発明を実施するための最良の形態】
【０００９】この発明の一実態形態を、図１、図２に示す。
傘差し保持具の弾性体クリップ部分Ａ，Ｂの内側は弾力性のあるソフトなゴム素材にする。弾性体クリップ後方部分を連結させる棒Ｃは、硬質な金属、合成樹脂などとし、直線以外に曲線や角度を形状したもの、或いは形状保持できるフレキシブルチューブなどを用いて連結固定する。
【実施例】
【００１０】弾性体クリップ部分Ａ，Ｂの内側のゴム素材に一層の滑り止め効果をつけるため横溝を複数設けたもの物でも良い。
【図面の簡単な説明】
【００１１】
【図１】この発明の一実地形態を示す斜視図である。
【図２】この発明の一実地形態を示す正面図である。
【符号の説明】
【００１２】    Ａ  腕にはめる弾性体クリップ
Ｂ  傘の柄をはめる弾性体クリップ
Ｃ  クリップを連結させる棒
【図１】
2008073493.tif 000003
【図２】
2008073493.tif 000004
(57)【要約】      （修正有）【課題】コロナ放電で生じたマイナスイオンを間接的、又は直接的に、かつ、手軽に毛髪へブローする事。【解決手段】取り扱いが簡単に、手に持って使用出来る事と、又は椅子に座り頭上からブローが容易に出来る様な構成にした。【選択図】図１
2008073492.tif 000002
【特許請求の範囲】
【請求項１】
高電圧の電気回路でコロナ放電を生じさせ、発生したマイナスイオンを直接、又は間接的に毛髪にブロ−出来るようにした機器
【発明の詳細な説明】
【技術分野】
【０００１】マイナスイオンを毛髪にブロ−する機器
【背景技術】
【０００２】高圧電気の放電によってマイナスイオンを発生そせ、毛髪のケア−用として直接、又は間接的にブロ−し、毛髪に潤いを与える機器とした。
【発明の開示】
【発明が解決しょうとする課題】
【０００３】マイナスイオンが直接、又は間接的に毛髪にブロ−する事。
【課題を解決する為の手段】
【０００４】構造図１、図２のマイナスイオン発生ユニット（針状電極と放電電極）のコロナ放電でマイナスイオンを発生させ、このイオンを毛髪にブロ−出来る様にした。
【発明を実施するための最良の形態】
【０００５】構造図１、図２のマイナスイオン発生ユニット（針状電極と放電電極）、それに接続する高電圧発生器を備え、これをハンディタイプ又は、ヘルメット式にしコロナ放電で生じるマイナスイオンを手に持って、又はすい置きにして、毛髪にブロ−出来る様にした。
【実施例１】
【０００６】図１は本発明のハンディタイプ毛髪ケア用マイナスイオン発生器の構造を示す。
図２はすい置きタイプの毛髪ケア用マイナスイオンブロ−発生器の構造を示す。
【発明の効果】
【０００７】マイナスイオンを毛髪にブロ−する事で、多量のマイナスイオンによる毛根の新陳代謝を良くし、髪に潤いを与え、枝毛、縮れ、切れ毛等の予防が出来る様になった
【図面の簡単な説明】
【０００８】
【図１】ハンディタイプの毛髪ケア用マイナスイオンブロ−発生器でマイナスイオン発生ユニットＥと、高電圧発生器で構成している。
【図２】すい置きタイプの毛髪ケア用マイナスイオンブロ−発生器でマイナスイオン発生ユニットＡ，Ｂ，Ｃ，Ｄと高電圧発生器、をヘルメット式のケ−スに収納している。このケ−スはスタンド式で固定されている
【符号の説明】
【０００９】１  マイナスイオン発生ユニット（Ａ〜Ｅ）
２  高電圧発生器
３  ケ−ス
４  固定軸
【図１】
2008073492.tif 000003
【図２】
2008073492.tif 000004
(57)【要約】【課題】  抱きまくら使用時に、ペットと一緒にいるような感覚や、ペットの声で起きる感覚、着せかえの楽しみ、香りでリラックス効果を提供する。【解決手段】  抱きまくらに着せかえ、目覚まし時計に動物の鳴き声をつけ、目覚まし時計の裏には、ポプリ入れをつけ、ペットと一緒にいるような感覚とリラックス効果を特徴とする目覚まし時計ポプリ入れつき着せかえ抱きまくら。【選択図】図１
2008073475.tif 000002
【特許請求の範囲】
【請求項１】
抱きまくらに着せかえ、目覚まし時計に動物の鳴き声をつけ、目覚まし時計の裏には、ポプリ入れをつけ、ペットと一緒にいるような感覚とリラックス効果を特徴とする目覚まし時計ポプリ入れつき着せかえ抱きまくら。
【発明の詳細な説明】
【技術分野】
【０００１】本発明は、抱きまくらに、着せかえ、目覚まし時計、ポプリ入れがついた目覚まし時計ポプリ入れつき着せかえ抱きまくらに関するものである。
【背景技術】
【０００２】従来、抱きまくら、着せかえ、目覚まし時計、ポプリは、別々になっていた。
【発明の開示】
【発明が解決しようとする課題】
【０００３】  これは、次のような問題点があった。
（イ）ペットを飼いたくても飼えない環境であった。
（ロ）抱きまくらに、目覚まし時計などの機能がついていなかった。
本発明は、以上のような問題点をなくすためになされたものである。
【課題を解決するための手段】
【０００４】抱きまくらに着せかえ、自覚まし時計に動物の鳴き声をつけ、目覚まし時計の裏にはポプリ入れをつける。以上を特徴とする目覚まし時計香りつき着せかえ抱きまくらである。
【発明の効果】
【０００５】本発明は、抱きまくらに着せかえ、目覚まし時計に動物の鳴き声をつけることにより、ペットを飼いたくても飼えない環境の人の心を満たし、ポプリをつけることにより、リラックス効果が期待でき、ペットを身近に感じる事ができる。
【発明を実施するための最良の形態】
【０００６】以下、本発明の実施の形態を説明する。
（イ）動物の抱きまくら（１）に取り外しのできるポプリ入れつき目覚まし時計の首輪（２）を設ける。
（ロ）取り外しのできるポプリ入れつき目覚まし時計の首輪（２）の表は目覚まし時計裏にはプラスチック製で小さな穴のあいた、ふたつきポプリ入れを設ける。
（ハ）目覚まし時計の首輪（２）にはアラームの入、切のボタン（５）と時間合わせ（６）を設ける。
（ニ）抱きまくら（１）には、取り外しのできる洋服（３）を設ける。
本発明は、以上の構成よりなっている。
本発明を使用するときは、ポプリ入れつき目覚まし時計の首輪（２）をとりはずし、表の目覚まし時計の時間設定ボタン（６）を持ち上げて時間を合わせ、アラームを設定したい時間に（６）をそのまままわして設定する。
アラームボタン（５）を入にしておくことにより、アラームの設定した時刻に動物の鳴き声がアラームボタン（５）を切にするまで鳴る。
裏のポプリ入れ（４）に好きなポプリをいれてふた（７）をする。
洋服（３）は、取り外しできるので、ペットショップなどで販売している洋服などで着せかえが楽しめる。
【図面の簡単な説明】
【０００７】
【図１】本発明の斜視図
【図２】本発明の分解斜視図
【符号の説明】
【０００８】１  抱きまくら
２  ポプリ入れつき目覚まし時計の首輪
３  洋服
４  ポプリ入れ
５  アラームボタン
６  時間設定
７  ふた
【図１】
2008073475.tif 000003
【図２】
2008073475.tif 000004
(57)【要約】【課題】      本発明は、化粧品ポーチを使用する際、ひとつの空間スペースに多種多様な化粧品を収納する事により生じる、化粧品の損傷や取り出しにくさを防ぐ為の、化粧品ポーチの仕切りの提供を目的とする。【解決手段】  本体〔１〕壁部に適宜切り欠き〔３〕を設け、この切り欠き〔３〕２ヶ所を１組として、その左右端部を嵌脱可能な一本の帯状に展開できるベルト〔２〕を設け、本体土台〔５〕に設けられた溝〔４〕上を、前記本体〔１〕が壁面立位にてスライド可能に形成したことを特徴とする、化粧品ポーチの仕切り。【効果】  本体や土台に弾力性のある素材を使用することで、化粧品同士の衝突をやわらげ、一目瞭然に必要とする化粧品を取り出せる。【選択図】図１
2008073477.tif 000002
【特許請求の範囲】
【請求項１】
弾力性のある素材で本体の壁部に適宜切り欠きを設け、この切り欠きに、左右端部を嵌脱可能な一本の帯状に展開できるベルトを設け、本体土台に設けた溝上を壁面立体にてスライド可能に形成したことを特徴とする化粧品ポーチの仕切り。
【発明の詳細な説明】
【技術分野】
【０００１】  本発明は、化粧品携帯時に、化粧品ポーチの中の整理ができ、化粧品同士のぶつかり合いによる衝撃を和らげる、化粧品ポーチの仕切りに関するものである。
【背景技術】
【０００２】  従来、化粧品を携帯する入れ物である化粧品ポーチは、多種多様の形態があるものの、構造に関してはさほど違いがなく、小さなポケットや、口紅の筆や眉墨ペンの保定帯がついているぐらいで、大部分の化粧品はひとつの空間に一緒くたにおさめられる形態になっている。
【特許文献１】特開２００１−７２０７２
【特許文献２】登録実用新案３０４６５４２
【特許文献３】特開平１０−８５０４１
【発明の開示】
【発明が解決しようとする課題】
【０００３】  化粧品ポーチのポケットは、小さすぎて整理しきれず、決められた保定帯では各自の利用価値と違い、結局すべての化粧品をひとつの空間におさめることになり化粧品同士の衝突によって化粧品の素材に破損が生じることがある。
また外出先で使用するときに中がちらかり、取り出しに手間取り、時には他の化粧品を足元に落としてしまうこともある。
本発明は、以上の問題点を解決し、外出先での化粧品ポーチの使用を円滑にする為の、化粧品ポーチ用の仕切りを提供しようとするものである。
【課題を解決するための手段】
【０００４】  弾力性のある素材で、本体壁部に数ヶ所の切り欠きを設け、同じ素材でつくられたベルトを差し込み、さらにこの本体を垂設可能な土台とから成る、化粧品ポーチの仕切り。
【発明の効果】
【０００５】  本発明を使用すれば、携帯時の化粧品同士の衝突も和らげられ、一目瞭然に中が見え、必要な化粧品を手際よく取り出すことが出来る。
また、本発明を使用しないときには、本体溝から壁部をスライド移動して、その組み合わせをはずし、板状にてコンパクトにしまっておくこともできる。
【発明を実施するための最良の形態】
【０００６】以下、本発明の実施の形態を説明する。
〔イ〕固めの弾性素材を、化粧品ポーチの中に収められる大きさの長方形に形成して本体（１）とする。
〔ロ〕本体（１）の壁部に数ヶ所切り欠き（３）を設け、別に同種の材料で左右端部を嵌脱（嵌めたり脱いだり）可能な、一本の帯状に展開できる特殊の形にベルト（２）を作り、切り欠き（３）に差し込む。
〔ハ〕壁部をポーチ内に、立設収納する為、同種で厚めのもので、縦中央に溝（４）を形成して、本体土台部（５）とする。
〔ニ〕本体（１）を、土台部（５）の溝（４）にはめ込み、スライドすることで着脱自在に組み立てる。
本発明は以上の構成から成るので、本発明を使用する時は、各自、現在使用中の化粧品ポーチのなかに立てて収納し、利用状況に応じて自由にベルトの位置を決めて、化粧品を立たせて収納する。
【図面の簡単な説明】
【０００７】
【図１】本発明の斜視図
【図２】本発明のベルトの展開拡大正面図
【符号の説明】
【０００８】１本体、２ベルト、３切り欠き、４溝、５本体土台
【図１】
2008073477.tif 000003
【図２】
2008073477.tif 000004
(57)【要約】【課題】病院、各種介護施設において、多く使用されているナースコール握りスイッチは、ケーブル接続式を用いており、被介護者の日常動作により故障断線する事例が多くあった。また、被介護者用ベッドの周囲にケーブル類が存在するのは、安全上好ましく無い。本発明を用いれば、このケーブルを使用しなくても、ナースコール握りスイッチが使用でき、故障防止、事故防止に効果が期待できる。【解決手段】ナースコール握りスイッチに送信機を内蔵して無線で信号を送信する。そしてナースコール接続口付近に設置した受信機にて当該信号を受信し、ナースコール回路を起動してナースコール信号を送出する。この方法で従来の故障発生や事故発生を低減できる。【選択図】図２
2008073479.tif 000002
【特許請求の範囲】
【請求項１】
病院、各種介護施設の室内に設置されているナースコール握りボタンスイッチはケーブル接続であるため、利用者の日常動作でケーブル本体やケーブル接続口での断線等故障を発生する事が多々あった。このナースコール握りボタンとケーブル接続口を無線通信にて行いケーブルを不要とする。
【発明の詳細な説明】
【技術分野】
【０００１】    本発明は屋内無線受信機とナースコール握りボタンスイッチ送信機に関する。
【背景技術】
【０００２】    従来のナースコール握りボタンスイッチはケーブル式であって、利用者の日常動作が原因でケーブル断線やコネクタ破損が多々発生していた。本方式では、ナースコール握りボタンスイッチとナースコール接続口の間を無線方式で通信を行い、ケーブルを不要とする発明。
【発明の開示】
【発明が解決しようとする課題】
【０００３】    介護病室内に設置されているナースコール握りボタンスイッチはケーブル接続式であり、断線等の故障が多く発生した。【０００４】    また、被介護者のベッド周りにナースコール握りボタンスイッチのケーブルが存在するのは安全上好ましく無い。【０００５】    本発明ではナースコール握りボタンスイッチに無線送信機を内蔵させ、ナースコール信号用接続口付近にナースコール握りボタンスイッチからの無線情報を受信する受信機を設け、ナースコール握りボタンスイッチのケーブルを無くした。【０００６】    本発明の実施の形態を図１〜図２に基づいて説明する。【０００７】    本発明によるナースコール握りボタンスイッチ信号は図２に示すようになる。【０００８】    ナースコール握りボタンスイッチを押すと、内蔵送信機が信号を送信する。【０００９】
2008073479.tif 000003
設置する受信機にて受信される。【００１０】    ナースコール握りボタンスイッチの信号を受信した受信機は、ナースコール信号を有線にてナースコール接続口へ信号を送出する。
【発明の効果】    上述したように本発明は、従来故障頻度の高かったナースコール握りボタンスイッチの信頼性を高める事が可能となるものである。
【発明を実施するための最良の形態】
【００１１】    以下、本発明の実施の形態を図２に基づいて説明する。【００１２】    図２は、本発明の機器の標準的配置示している。【００１３】    ナースコール握りボタンスイッチが動作すると、内蔵送信機が信号を発する。【００１４】    ナースコール接続口付近に設置されたナースコール握りスイッチ信号用受信機が信号を受信すると、ナースコール回路を起動してナースコール接続口へ信号を送出する。【００１５】    本発明の送受信機の電源は電池を使用する。
【図面の簡単な説明】
【００１６】
【図１】従来のナースコール握りスイッチの実態
【図２】本発明のナースコール握りスイッチの説明
【符号の説明】
【００１７】      １  ナースコール用コネクタ接続口
２  ナースコール握りスイッチ用ケーブル
３  従来式ナースコール握りスイッチ
４  本発明のナースコール握りスイッチからの信号を受信する受信機
５  本発明の無線送信機を内蔵したナースコール握りスイッチ
【図１】
2008073479.tif 000004
【図２】
2008073479.tif 000005
(57)【要約】      （修正有）【課題】病院、各種介護施設において、被介護者居室に事故防止用センサーを設置する場合に、技術的制約が低減可能で被介護者の事故未然防止に効果が期待できるナースコールシステムを提供する。【解決手段】被介護者居室内の全てのセンサー信号をデジタル無線化し、送信機と受信機間で同一固有番号の確認ができた送信信号を全てナースコールシステムへ伝達する。【選択図】図２
2008073480.tif 000002
【特許請求の範囲】
【請求項１】
病院、各種介護施設の居室に複数個の動作センサーを設置した場合、特殊な改造無しに無線デジタル方式を用い、複数個のセンサーからのオン・オフ信号を一つのナースコール信号としてナースコール接続口に伝達する送・受信機。
【発明の詳細な説明】
【技術分野】
【０００１】    本発明は屋内無線デジタル送・受信機とナースコールに関する。
【背景技術】
【０００２】    従来のナースコールシステムの各部屋送信機は、握りスイッチ一種類を呼び出し信号として送信していたが、本方式では各部屋で必要となるいくつものセンサーのオン・オフ信号をナースコール呼び出し信号として送信する事ができる発明。
【発明の開示】
【発明が解決しようとする課題】
【０００３】    各部屋に設置されているナースコールシステムには、呼び出し信号用接続口が１個あるいは２個設置されていて送信できるセンサーのオン・オフ信号が限られていた。【０００４】    また、従来のナースコールシステムの接続口は何種類もの独自コネクタを使用していて、センサー追加作業が困難な場合があり、被介護者の事故未然防止に寄与しにくい場合があった。
【課題を解決するための手段】
【０００５】    本発明では室内の各種センサーからのオン・オフ信号をデジタル無線信号として送信する送信機とそれらデジタル無線信号を一括受信してナースコール呼び出し信号としてナースコール接続口へ伝達する受信機を提案する。【０００６】    本発明の実施の形態を図１〜図２に基づいて説明する。【０００７】    本発明によるナースコール呼び出し信号経路は、図２に示すようになる。【０００８】    室内に設置した各動作センサー信号は本発明送信機へ有線接続される。【０００９】    本発明送・受信機には固有番号を設定する機能を有する。【００１０】    動作センサーの信号を受けた当該送信機は送信機固有番号とセンサーオン・オフ信号をデジタル信号に変換し送信する。【００１１】    本発明受信機は同じ固有番号の送信機からのデジタル信号を受信した時、そのオン・オフ信号をナースコール送信機接続口へ有線伝達を行う。【００１２】    従って、同室内全ての送信機固有番号と受信機固有番号を同一としておけば、室内全ての動作センサーのオン・オフ信号をナースコール信号として送信する事が可能となる。
【発明の効果】    上述したように本発明は、従来限られていた同室内センサーの種類を改造無しに増加する事が可能となるものである。
【発明を実施するための最良の形態】
【００１３】    以下、本発明の実施の形態を図２に基づいて説明する。【００１４】    図２は、本発明の機器の配置および利用するセンサー類を示している。【００１５】    室内いずれかのセンサーが動作した場合、そのセンサーに取付けられている当該送信機からオン・オフ信号が発せられる。同室内当該受信機は固有番号を参照して、予め同じ固有番号を設定してあった送信機からの信号と判断した場合、内部接点を動作させて、有線経由で既設のナースコール接続口へ信号を伝達する。【００１６】    図２には、現在頻繁に使用される動作センサーを示してある。【００１７】    この図に示した以外にも各種オン・オフセンサーに応用が可能である。【００１８】    本発明における最大接続可能数（最大固有番号数）は２５６個である。【００１９】    本発明の送受信機の電源は電池を使用する。
【図面の簡単な説明】
【００２０】
【００２１】
【図１】本発明の必要を生じた、従来形のセンサー接続図
【図２】本発明のセンサー接続および信号伝達説明図
【図１】
2008073480.tif 000003
【図２】
2008073480.tif 000004
(57)【要約】【課題】作業をする際、移動距離が短くて済み、しかも、コーナー部における作業の負担を軽減させることができ、さらに、コーナー部のスペースの有効利用を図ること。【解決手段】システムキッチンは、架台１と、架台１の上に載置される、コーナーユニット２５を含むユニット２と、ユニット２の上に載置されるトップ３との組合せからなり、コーナー角度を略１３５度に設定した平面視鈍角くの字状のシステムキッチンでる。コーナーユニット２５は、ダイニング側から操作可能な引出しユニットにより構成される。【選択図】図１
2008073433.tif 000002
【特許請求の範囲】
【請求項１】
架台と、該架台の上に載置される、コーナーユニットを含むユニットと、該ユニットの上に載置されるトップとの組合せからなり、コーナー角度を略１３５度に設定した平面視鈍角くの字状のシステムキッチンであって、前記コーナーユニットをダイニング側から操作可能な引出しユニットにより構成したことを特徴とするシステムキッチン。
【発明の詳細な説明】
【技術分野】
【０００１】
本発明は、システムキッチンに関する。
【背景技術】
【０００２】
周知のように、従来のシステムキッチンは、平面視I字状の直線型システムキッチン、あるいは、コーナー角度が９０度の平面視L字状の屈曲型システムキッチンが主流であった。
【発明の開示】
【発明が解決しようとする課題】
【０００３】
しかし、直線型システムキッチンの場合、流し台、加熱機器、及び、まな板、鍋又は皿等が載せられるカウンターなどからなる作業エリアが横方向に伸びているため、調理人の移動距離が必然的に長くなるという問題がある。
【０００４】
また、屈曲型システムキッチンの場合、コーナー部において作業をする際、体を９０度捻る動作をする必要が生じ、作業性に問題がある。
【０００５】
本発明は、上記のような従来からのシステムキッチンの問題点に鑑みなされたものであり、作業をする際、移動距離が短くて済み、しかも、コーナー部における作業の負担を軽減させることができるシステムキッチンを提供することを基本的な目的とする。
【０００６】
さらに、本発明は、コーナー部のスペースの有効利用を図ることを目的とする。
【課題を解決するための手段】
【０００７】
本発明のシステムキッチンは、架台と、該架台の上に載置される、コーナーユニットを含むユニットと、該ユニットの上に載置されるトップとの組合せからなり、コーナー角度を略１３５度に設定した平面視鈍角くの字状のシステムキッチンであって、前記コーナーユニットをダイニング側から操作可能な引出しユニットにより構成したことを特徴とする。
【０００８】
本発明によると、コーナー角度を略１３５度に設定したため、直線型システムキッチンと比べ同一内容の作業を行う際の人の移動距離が短くなるとともに、屈曲型システムキッチンと比べコーナー部において人の腕の作業域は肩を中心に両方の動作範囲は１３５度が適度であり、体を捻る角度が小さくて済み作業の負担を軽減できる。また、屈曲型システムキッチンでは、コーナー部において引出し（引出し箱）を引き出す際、引出し箱と共に体を後退りせざるを得ないが、コーナー角度を略１３５度に設定したシステムキッチンでは、体を横に僅かにずらした状態で引出し箱を容易に引き出すことが可能になる。また、コーナーユニットをダイニング側から操作可能な引出しユニットで構成したため、コーナー部のスペースの有効利用が図れる。
【発明を実施するための最良の形態】
【０００９】
以下、本発明の実施形態を図面に基づいて説明する。
【００１０】
図１は、本発明の一実施形態に係るシステムキッチンをダイニング側から見たときの斜視図、図２は、同システムキッチンの架台の平面図、図３は、同システムキッチンのユニットの平面図、図４は、同システムキッチンのトップの平面図、図５は、コーナーユニットの収納状態の斜視図、図６は、コーナーユニットを引き出した状態を表した斜視図、図７は、コーナーユニットの動作説明図をそれぞれ示す。
【００１１】
図１〜図７において、システムキッチンは、架台１と、架台１の上に載置される、コーナーユニット２５を含むユニット２と、ユニット２の上に載置されるトップ３との組合せからなる。
【００１２】
架台１は、ユニット２の底部が載置される水平枠部１１と、水平枠部１１の適宜箇所から下方へ延設され、床面１００に載る垂直脚部１２とで構成される。
【００１３】
ユニット２は、シンクユニット２１と、加熱機器ユニット２２と、２つの四段引出しユニット２３、２４と、コーナーユニット２５とで構成される。
【００１４】
トップ３は、シンクユニット２１に載るシンクタンク部３１と、加熱機器ユニット２２に載る加熱機器部３２と、２つの四段引出しユニット２３、２４に載る２つの端フラット部３３、３４と、コーナーユニット２５に載るコーナーフラット部３５とからなる。
【００１５】
コーナーユニット２５は、図５、６に示すように引出しユニットからなる。引出しユニット２５は、ボックス部２５aと引出し部２５bとからなり、ボックス部２５aと引出し部２５bにそれぞれ設けたスライドレール２５c、２５d（図７）により、引出し部２５bを引出すことができるよう構成されており、引出し部２５bは、ダイニング側からの操作によって引き出される。
【００１６】
上記のように構成されたシステムキッチンは、平面視鈍角くの字状に構成されている。コーナー角度θは鈍角例えば１３０度〜１４０度の範囲に設定されており、特にコーナー角度θを１３５度に設定することが、作業性などの点から人間工学的に最も好ましい。
【００１７】
本実施形態のシステムキッチンによると、コーナー角度θが１３０度〜１４０度の範囲に設定されたため、直線型システムキッチンと比べ同一内容の作業を行う際の人の移動距離が短くなるとともに、屈曲型システムキッチンと比べコーナー部において人の腕の作業域は肩を中心に両方の動作範囲は１３５度が適度であり、体を捻る角度が小さくて済み作業の負担を軽減できる。また、コーナーユニット２５をダイニング側から操作可能な引出しユニットで構成したため、コーナー部のスペースの有効利用が図れる。
【図面の簡単な説明】
【００１８】
【図１】本発明の一実施形態に係るシステムキッチンをダイニング側から見たときの斜視図である。
【図２】同システムキッチンの架台の平面図である。
【図３】同システムキッチンのユニットの平面図である。
【図４】同システムキッチンのトップの平面図である。
【図５】コーナーユニットの収納状態の斜視図である。
【図６】コーナーユニットを引き出した状態を表した斜視図である。
【図７】コーナーユニットの動作説明図である。
【符号の説明】
【００１９】
１    架台
２    ユニット
３    トップ
２５    コーナーユニット
【図１】
2008073433.tif 000003
【図２】
2008073433.tif 000004
【図３】
2008073433.tif 000005
【図４】
2008073433.tif 000006
【図５】
2008073433.tif 000007
【図６】
2008073433.tif 000008
【図７】
2008073433.tif 000009
(57)【要約】【目的】魚釣り用の竿でソリット穂先を有する釣竿を製造する際、継ぎ作業を無くしより効率よく均一な商品を製作し、しかも耐久性に優れた釣竿を提供する。【構成】金型（１）の先端に突起（ａ）を設け、これに合うようにソリット部材（２）の一端に穴を設け、金型（１）とソリット部材（２）を連結固定し、継ぎ目に繊維シート（３）を覆う様に巻き付けた状態で成型し、後に金型（１）を抜き取る。【選択図】図１
2008073027.tif 000002
【特許請求の範囲】
金型（１）の先端に外形より細い突起（ａ）を設け、ソリット部材（２）の一端に突起（ａ）の形状に合わせて穴を設け、金型（１）とソリット部材（２）を接合した状態で繊維シート（３）をこれらの外周に巻きつけ成型した釣竿。
【発明の詳細な説明】
【発明の詳細な説明】
【産業上の利用分野】
【０００１】この発明は、魚釣りに使用する釣竿に関するものである。
【背景技術】
【０００２】従来の釣竿でソリット穂先を有する釣竿は、本体であるパイプを成型し、ソリットをこのパイプ内径に合わせて研磨を行い、本体のパイプに接着材で結合していました。
【発明が解決しようとする課題】
【０００３】従来のソリット穂先を有する釣竿では、製造するのに手数が多く時間が掛かった、しかも接着材が時間と共に変化するので均一な商品を製作することが困難でした。
また、釣り人が長時間使用すると接着結合した所が剥離を起こし破損の原因になっていました。
この発明は、これらの欠点を除くために発明したものである。
【課題を解決するための手段】
【０００４】ソリット穂先を有する釣竿を製作する際、金型（１）の先端部に小径の突起（ａ）を設け、さらにソリット部材（２）の一端に突起（ａ）に合う穴を設けた。
【作用】
【０００５】金型（１）をソリット部材（２）に差込み接着などで仮止めを行い、グラスあるいはカーボンのシートをこの継ぎ部を保持する様に巻き成型、その後金型（１）を抜き取り、ソリット穂先を有する釣竿を製作することができるようにした。
【実施例】
【０００６】本発明を図面の図１、にもとづいて説明します。
金型（１）の先端に小径の突起（ａ）を設け、ソリット部材（２）の一端に突起（ａ）に合う穴を設けてある、このソリット部材（２）と、金型（１）の突起（ａ）を差込み固定しグラスあるいはカーボンなどの繊維シート（３）で、継ぎ部の外周を覆いかぶすように巻き成型する、成型後金型（１）を抜き取り、ソリットとパイプ部の継ぎ目が無い釣竿を製作するものである。【０００７】本発明の他の実施例を図２、にもとづいて説明します。
金型（１）の先端に穴（ｂ）を設け、これに合う様にソリット部材（２）の一端を研磨し、金型（１）の穴（ｂ）に、ソリット部材（２）を差込み固定した状態です。
これにグラスまたはカーボンのシートで覆うように巻きこれを成型し、後に金型（１）を抜き取る。【０００８】本発明の他の実施例を図３、にもとづいて説明します。
ソリット部材（２）の元部の小口に穴を開けさらに穴に沿って穴より浅く溝を切る、この穴と溝に合う様に、金型（１）の先端を加工する、そしてソリット部材（２）と金型（１）を差込み連結した状態です。これにグラスやカーボンなどのシートで覆う様に巻きこれを成型し、後に金型（１）を抜き取る。
【発明の効果】
【０００９】本発明は、ソリット部材とパイプの接着が不要なため手数が省け製品が均一に出来る、継ぎ目が無いため塗装が容易で綺麗に仕上がる。
また、釣り人が長時間使用しても初期状態より変化せず、違和感を与えることが無い。
【図面の簡単な説明】
【図１】本発明の断面図
【図２】本発明の実施例を示す断面図
【図３】本発明の実施例を示す断面図
【符号の説明】
１  金型
２  ソリット部材
３  繊維シート
ａ  金型の突起部
ｂ  ソリット部材の突起部
【図１】
2008073027.tif 000003
【図２】
2008073027.tif 000004
【図３】
2008073027.tif 000005
(57)【要約】【課題】  従来の水だしコーヒーの機器は長いガラス容器などに水をいれ、１滴ずつコーヒーの入ったフィルターに滴下させ、単純に時間をかけて抽出するものであった。視覚的にも楽しめる優れたものだが、飲もうと思った時に飲めないという問題があった。また、コーヒーバッグを容器に入れて抽出する方法もあるが、これだと普段自分の使っているコーヒーを利用することができない。【解決手段】  アルミバッグなどの容器の出口部分にフィルターを内蔵させ、挽いた豆と水を入れ、密封することで簡単に水だしコーヒーの作れる容器を考案した。【選択図】  図１
2008073372.tif 000002
【特許請求の範囲】
【請求項１】
フィルターを内蔵した出口を持つ水だしコーヒー用容器
【発明の詳細な説明】
【技術分野】
【０００１】
本発明は飲料抽出に関するものである。
【背景技術】
【０００２】
コーヒーの抽出に関してはいろいろな方法があるが、香りを損なわないのは加熱せず、時間をかけて抽出する水だし法だと言われている。加熱しないため香り成分が蒸発せず旨味とともに抽出できるのだが、長時間かかるためあまり普及していない。
【発明の開示】
【発明が解決しようとする課題】
【０００３】
従来の水だしコーヒーの機器は長いガラス容器などに水をいれ、１滴ずつコーヒーの入ったフィルターに滴下させ、単純に時間をかけて抽出するものであった。視覚的にも楽しめる優れたものだが、飲もうと思った時に飲めないという問題があった。また、コーヒーバッグを容器に入れて抽出する方法もあるが、これだと普段自分の使っているコーヒーを利用することができない。
【課題を解決するための手段】
【０００４】
そこで、アルミバッグなどの容器の出口部分にフィルターを内蔵させ、挽いた豆と水を入れ、密封することで簡単に水だしコーヒーの作れる容器を考案した。出口部分にはフィルターを内蔵し、そのまま押し出すだけでコーヒーを飲める。また、飲用時に空気入らないよう出口には逆止弁も付けた。
【発明の効果】
【０００５】
その結果、容器自体のコストが安いので、複数の容器を使いいくつか作って置くことで、いつでも飲みたいときに飲めるようになった。また、抽出後は出口に内蔵されたフィルターを通してコーヒーがでてくるので、手間なく飲むことができる。フィルターは交換することもできるので、容器そのものは何回でも再利用することができる。抽出そのものは低温状態でもできるので、冷蔵庫の中で抽出する事もでき、そのままアイスコーヒーとして楽しむこともできる。コーヒーの濃さに付いては、入れるコーヒーと水の量で簡単に調節でき、濃縮タイプも時間をかけて作ることができる。
【産業上の利用可能性】
【０００６】
コーヒーについても総需要は頭打ちながら、レギュラーコーヒーなど、味にこだわったものは今後も成長が見込める。本容器によってミネラルウォーター等を使った美味しい水だしコーヒーを簡単に楽しめるようになる。容器としての販売の他、構造が簡単になるため、自動コーヒーサーバーなどへの応用もできる。
【図面の簡単な説明】
【０００７】
【図１】全体の構成図である。
【符号の説明】
【０００８】
１  出口フィルター
２  出口部分
３  抽出機構用ストッパー
４  容器本体
５  シール部分
【図１】
2008073372.tif 000003
(57)【要約】【課題】オゾンや過酸化物など不安定な物質を減圧下で光化学反応させた場合、圧縮機による昇圧は、これらの物質の分解を伴う。この分解は非選択的に起きるので、目的の反応生成物の濃縮率が低下するという問題がある。これらが分解しないように安定した状態で昇圧し、次の分離工程へ送ガスする。【解決手段】減圧下で光化学反応を実施したのち、反応生成物や未反応の光化学反応物質と反応しない希釈ガスによって、反応容器内を昇圧する。昇圧後、反応容器のガスを希釈ガスによってプラグフローで押し出し、次の分離工程へ送ガスする。【選択図】なし【特許請求の範囲】
【請求項１】
減圧下で光化学反応物質にレーザ光を照射して光化学反応を行い、減圧状態の反応生成物を分離工程に送ガスする方法であって、該光化学反応により生じた反応生成物と未反応物との混合ガスに、該混合ガス中の成分と反応しない希釈ガスを混入し、大気圧もしくはそれ以上に昇圧することにより分離工程へ送ガスする方法。
【請求項２】
前記光化学反応物質が、オゾン、過酸化物、亜硝酸エステル、あるいは硝酸エステルである請求項１記載の送ガス方法。
【請求項３】
前記希釈ガスが、フロンあるいは希ガスである請求項１記載の送ガス方法。
【請求項４】
前記レーザ光の照射に半導体レーザを用いる請求項１記載の送ガス方法。
【請求項５】
前記分離工程において希釈ガスを回収し、再利用する請求項１記載の送ガス方法。
【発明の詳細な説明】
【技術分野】
【０００１】
分解性の高いガスを反応物質とするレーザ光化学反応における送ガス方法に関する。
【背景技術】
【０００２】
特定波長のレーザによる選択的な光化学反応を行うためには、分子衝突によるエネルギー散逸を押さえ、光を有効に利用するため、光化学反応物質となるガス混合物を減圧下において反応させる必要がある。光化学反応後には、光反応生成物と未反応物との混合ガスが得られるので、蒸留操作や吸着操作などによって光反応生成物を分離する。
【０００３】
例えば、存在比が極めて小さな酸素の安定同位体である17Ｏや18Ｏを、光による過酸化物の解離（分解）反応を利用して選択的に濃縮する方法がある。これは、ヒドロ過酸化物、過酸化（ジ）アルキル、過酸を含む過カルボン酸、過酸化（ジ）アシル、過酸エステル、過炭酸エステル、過ジ炭酸エステル、ジ過炭酸エステル、過シュウ酸エステル、環状過酸化物、オゾニド、エンド過酸化物、亜硝酸エステル、硝酸エステルといった過酸化物を含むガスに半導体レーザー光を照射し、分子中に特定の酸素同位体を含む過酸化物を選択的に解離させ、解離反応生成物中（例えば17Ｏを分子中に有する水）に前記酸素同位体を濃縮する方法である。
【０００４】
このような過酸化物の解離反応においても、目的の過酸化物を反応させるため、減圧下で光照射することが望ましい。減圧下で得られた解離反応生成物は、蒸留塔や吸着塔などの分離手段によって、さらに濃縮できる。
【０００５】
分離手段への導入には、コールドトラップを利用した方法がある。しかし、このような方法は、冷却面に固化させたものを暖めてガス化することを繰り返すため、煩雑であり、エネルギーロスも大きい。ガス状態のまま分離手段へ導入するためには、解離反応生成物と未反応物の混合物を、例えば気体状態で大気圧まで昇圧する必要がある。ここで、光化学反応物質として、オゾンや過酸化物など、熱的に不安定であるものを使用している場合、圧縮機による昇圧は、これらの物質の分解を伴う。この分解は非選択的に起きるので、目的の反応生成物の濃縮率が低下するという問題がある。
【特許文献１】特開２００５−８１３２１号公報
【発明の開示】
【発明が解決しようとする課題】
【０００６】
上述のような減圧下での光化学反応工程の後、大気圧下で次の分離工程へ導入するには、液化により液ヘッドを用いて加圧するくらいしか方法がなかった。この場合、多量の液体ホールドアップが必要であり、そのために余分な原料と余分な運転時間を要する問題があった。
【課題を解決するための手段】
【０００７】
本発明は、減圧下で光化学反応物質にレーザ光を照射して光化学反応を行い、減圧状態の反応生成物を分離工程に送ガスする方法であって、該光化学反応により生じた反応生成物と未反応物との混合ガスに、該混合ガス中の成分と反応しない希釈ガスを混入し、大気圧もしくは、それ以上に昇圧することにより分離工程へ送ガスする方法である。
また、本発明では、光化学反応物質としてオゾン、過酸化物、亜硝酸エステル、あるいは硝酸エステルを用いる。さらに、希釈ガスとして、フロンあるいは希ガスを用いる。
更に本発明では、レーザ光の照射に半導体レーザを用いる。
また、送ガスに用いた希釈ガスを分離工程において回収し、再利用する。
【発明の効果】
【０００８】
反応生成物や未反応物と反応しない安定な希釈ガスによって昇圧することで、反応物質が低濃度となり、自己分解しやすい物質であっても、より安定した状態で取り扱うことができる。
希釈ガスにフロンや希ガスを用いることで、分離工程において反応生成物から容易に分離が可能となり、希釈されることによる濃縮率を低下させることがない。
また、希釈ガスを分離工程で回収してリサイクルすることにより、フロンを使用した場合であっても、地球温暖化ガスを排出しなくて済む。希ガスを使用する場合も、高価な希ガスの使用量を少なくすることができる。
【発明を実施するための最良の形態】
【０００９】
原料となる光化学反応物質（オゾン、過酸化物など）を反応容器内に減圧状態（約１０ｋＰａ）で封入し、目的の物質のみを分解したり反応させるため、特定波長を有するレーザ光を反応容器内に連続照射して、選択的な光化学反応を行なう。
【００１０】
その後、光化学反応物質とは反応しない希釈ガス（フロン、希ガスなど）を、反応容器の入口側からゆっくり導入して、反応容器内を大気圧もしくはそれ以上に昇圧する。反応容器の出口バルブを開け、希釈ガスで光反応容器内のガスを押し出し、後段の分離装置（蒸留装置あるいは吸着装置）に送ガスする。希釈ガスをゆっくり導入することにより、光反応容器内のガスを層流（プラグフロー）で押し出す。このようにすると、押し出すのに必要な希釈ガス量を少なくすることができ、無駄がない。
【００１１】
光反応させたガスは、後段の分離装置（蒸留装置あるいは吸着装置）により、希釈ガス、未反応物および解離により生成した反応生成物に分離される。希釈ガスは、光反応生成物や未反応物と分離し易いもの選び、分離方法についても、蒸留分離や吸着分離などを適宜選択する。
光反応容器内に残った希釈ガスは真空引きして回収する。前述のように、光化学反応物質を減圧下で導入して封入し、以降の工程を繰り返す。